(57)【要約】【解決手段】  隣接する手すり部材Ａ，Ｂの対向端部を嵌入固定し得る２つの部材１，２からなり、そのうちの一方が少なくとも半球面状の凸部材1aを、他方が前記凸部材1aを嵌合保持する凹部材2aを有している。前記凹部材2aに前記凸部材1aが嵌合保持された状態で、伸縮部材３により両者を連結する。【効果】  凹部材2aに凸部材1aが嵌合保持された状態で、伸縮部材３により両者が連結されているので、壁に沿わせて隣接する手すり部材を最初に取り付ける際、極めて施工しやすく、施工時間を短縮できる。凸部材1aと凹部材2aはどの位置でもフレキシブルな動きが可能である。取り付けられている手すり部材を外す際には、凹部材2aと凸部材1aを連結している伸縮部材３をカットすれば、凹2a部材と凸部材1aとが分離されるので、手すり部材を簡単に取り外すことができる。【選択図】  図４
2006249869.tif 000002
【特許請求の範囲】
【請求項１】
隣接する手すり部材の対向端部を嵌入固定し得る２つの部材からなり、そのうちの一方が少なくとも半球面状の凸部材を、他方が前記凸部材を嵌合保持する凹部材を有し、前記凹部材に前記凸部材が嵌合保持された状態で伸縮部材により両者を連結したことを特徴とする手すり部材接続具。
【請求項２】
隣接する手すり部材の対向端部を嵌入固定した凸部材と凹部材間の嵌合空間に伸縮部材が位置し、この伸縮部材が凸部材と凹部材を互いに接合させる方向に絶えず牽引していることを特徴とする請求項１記載の手すり部材接続具。
【請求項３】
伸縮部材には、凸部材と凹部材にそれぞれ係合させ得る部分を備えていることを特徴とする請求項１又は２記載の手すり部材接続具。
【請求項４】
伸縮部材がゴムその他の弾性体からなることを特徴とする請求項１〜３のいずれかに記載の手すり部材接続具。
【発明の詳細な説明】
【技術分野】
【０００１】
本発明は、階段や廊下などの通路に設置する手すり部材同士を接続して連続する手すりとするための金具の改良に関するものである。
【背景技術】
【０００２】
隣接する２本の手すり部材を接続する接続具として、隣接する手すり部材の対向端部を嵌入固定し得る２つの部材からなり、そのうちの一方が少なくとも半球面状の凸部材を、他方が前記凸部材を嵌合保持する凹部材を有し、前記凹部材に前記凸部材が嵌合保持された状態でそのいずれか一方に形成されている孔を介して連結部材（連結ピン）により両者を連結したものが提案されている（例えば、特許文献１参照）。
【０００３】
【特許文献１】特開２０００−１６０７９７号公報
【発明の開示】
【発明が解決しようとする課題】
【０００４】
この接続具において、凸部材と凹部材のいずれか一方に形成されている孔ｃが、図９において鎖線で示すように長孔であれば、２つの部材ａ，ｂに嵌入固定されている２本の隣接する手すり部材の長手方向中心線ｄ，ｄ０が一直線となる状態下で、前記長孔に沿って２つの部材ａ，ｂのいずれか一方を他方に対して折曲させることはできるが、左右方向には前記長孔に沿っていずれか一方を他方に対してずらせた後、連結部材（連結ピン）を中心としていずれか一方を他方に対して回さない限り、折曲させることができない。
【０００５】
一方、この孔ｃの横幅が連結部材（連結ピン）ｅの軸径より多少大きければ、２つの部材ａ，ｂのいずれか一方を他方に対して孔ｃの横幅分の範囲で左右方向にも折曲させることはできるであろうが、その場合でも折曲させ得る角度は極めて小さく、それ以上の折曲は不可能である。
ところが、連続する手すりを設置すべき場所によっては、連続する手すりのうちの一部のみを前記の場合よりも大きく折曲しなければならない場合がある。また、連続する手すりを設置するに当って施工誤差があっても平面から見て一直線となるように、前記の場合よりも大きい折曲が可能でなければならない場合もある。
【０００６】
上記のような欠点を有するにもかかわらず、また、このような要望があるにもかかわらず、２つの部材ａ，ｂ（凸部材と凹部材）を連結させてあるのは、コーナー部分に２つの部材ａ，ｂからなる接続具を位置させ、壁に沿わせて隣接する手すり部材を最初に取り付ける際には、両者が分離しているよりも連結している方が施工しやすいからである。
【０００７】
一方、連続する手すり部材の取付後、壁紙を貼る作業に入る前、あるいは、家具搬入時の通路が狭い場合には、取り付けられている手すり部材を外さなければならないが、２つの部材ａ，ｂ（凸部材と凹部材）が連結されている場合には、図示はしないが、長い手すり部材を連結されている２つの部材ａ，ｂ（凸部材と凹部材）とともに取り外すか、あるいは、手すり部材を２つの部材ａ，ｂ（凸部材と凹部材）から分離させながら取り外さなければならない。
【０００８】
なお、手すり部材は、例えば、図８(a)、(b) に示す壁受用ブラケット７と、図８(c)、(e)に示す台座８とを用いて壁に取り付けられる。例えば、長い手すり部材に対して所定の間隔を置いて配置すべき複数の壁受用ブラケット７，７に対応させて複数の台座８，８を壁に固定し、壁受用ブラケットの支持部材にビスで手すり部材を固定するとともに、壁に固定された各台座８，８上に壁受用ブラケット７，７の取付座を重ね合わせることにより、手すり部材を壁に沿わせて取り付けることができる。
【０００９】
このように、２つの部材ａ，ｂ（凸部材と凹部材）が連結されている場合には、手すり部材Ｂの取り外し作業が極めて厄介であり、その解消が望まれている。また、従来のような連結方式であれば、２つの部材ａ，ｂ（凸部材と凹部材）の折曲に制限を受けやすく、しかも、折曲させ得る角度が極めて小さいため、自由に折曲させることができ、どの位置でもフレキシブルな動きが可能な接続具が求められている。
【課題を解決するための手段】
【００１０】
本発明は、これらの要望に応え得る手すり部材接続具を提供することを目的とするものであって、隣接する手すり部材の対向端部を嵌入固定し得る２つの部材からなり、そのうちの一方が少なくとも半球面状の凸部材を、他方が前記凸部材を嵌合保持する凹部材を有し、前記凹部材に前記凸部材が嵌合保持された状態で伸縮部材により両者を連結したことを特徴とするものである。
【００１１】
本発明によれば、凹部材に凸部材が嵌合保持された状態で伸縮部材により両者が連結されているので、図７(a)に示すように、コーナー部分Ｃに凹部材と凸部材からなる接続具を位置させ、壁に沿わせて隣接する手すり部材Ａ，Ｂを最初に取り付ける際、極めて施工しやすく、施工時間を短縮できる。また、凹部材と凸部材とは伸縮部材により連結されているので、どの位置でもフレキシブルな動きが可能である。なお、手すり部材Ａ，Ｂは、例えば、図８(a)、(b) に示す壁受用ブラケット７と、図８(c)、(e)に示す台座８とを用いて壁に取り付けられている。
【００１２】
一方、連続する手すり部材Ａ，Ｂの取付後、壁紙を貼る作業に入る前、あるいは、家具搬入時の通路が狭い場合において、取り付けられている手すり部材Ａ，Ｂを外す際には、凹部材と凸部材を連結している伸縮部材をカットすれば、凹部材と凸部材とが分離されるので、手すり部材Ａ，Ｂを簡単に取り外すことができる。この場合においては、手すり部材Ａ，Ｂ付きの壁受用ブラケット７，７を、壁に取り付けられている各台座８，８から取り外すだけで良く、各台座８，８を壁に対して位置決めされた状態で壁に取り付けたままにしておくことができる。
【００１３】
上述したように、各台座８，８は壁に対してすでに位置決めされているから、逆に、取り外した手すり部材Ａ，Ｂを復元するには、壁に位置決めされた状態にある前記台座８，８に手すり部材Ａ，Ｂ付きの壁受用ブラケット７，７を重ね合わせ、台座８，８上に固定するだけで良い。この作業を行うだけで、コーナー部分Ｃにおける凹部材と凸部材を極めて簡単に嵌合・接合させ、しかも、最初の場合と同じように、壁に沿わせて隣接する手すり部材Ａ，Ｂを極めて簡単に復元させることができる。
【００１４】
隣接する手すり部材Ａ，Ｂの対向端部を嵌入固定した凸部材と凹部材間の嵌合空間に伸縮部材が位置し、この伸縮部材が凸部材と凹部材を互いに接合させる方向に絶えず牽引するようにすることが望ましい。この場合には、隣接する手すり部材Ａ，Ｂを接合する凸部材と凹部材の大きさを出来るだけ小さくすることができるとともに、伸縮部材の引張力により両部材の嵌合・接合状態を適度な力で保持できる。
【００１５】
伸縮部材には、凸部材と凹部材にそれぞれ係合させ得る部分を備えていることが望ましい。この場合には、凸部材と凹部材に伸縮部材を引っ掛けることにより、両部材の嵌合・接合状態を絶えず保持できる。
【００１６】
伸縮部材をゴムその他の弾性体からなるものとすることができる。この場合には、弾性体からなる伸縮部材が凸部材と凹部材に適度な引張力を付与するから、両部材の嵌合・接合状態が適度に保持される。そして、凸部材と凹部材を引っ張り合えば、伸縮部材が伸びるので、伸縮部材をカットしやすい。
【発明の効果】
【００１７】
請求項１記載の発明によれば、凹部材に凸部材が嵌合保持された状態で伸縮部材により両者が連結されているので、コーナー部分Ｃに凹部材と凸部材からなる接続具を位置させ、壁に沿わせて隣接する手すり部材Ａ，Ｂを最初に取り付ける際、極めて施工しやすく、施工時間を短縮できる。また、凹部材と凸部材とは伸縮部材により連結されているので、どの位置でもフレキシブルな動きが可能である。
【００１８】
また、請求項１記載の発明によれば、取り付けられている手すり部材Ａ，Ｂを外す際には、凹部材と凸部材を連結している伸縮部材をカットすれば、凹部材と凸部材とが分離されるので、手すり部材Ａ，Ｂを簡単に取り外すことができる。
【００１９】
さらに、請求項１記載の発明によれば、一旦取り外した手すり部材Ａ，Ｂを再び取り付けるに際し、コーナー部分Ｃにおける凹部材と凸部材を極めて簡単に嵌合・接合させることができ、しかも、最初の場合と同じように、壁に沿わせて隣接する手すり部材Ａ，Ｂを極めて簡単に復元することができる。
【００２０】
請求項２記載の発明によれば、隣接する手すり部材Ａ，Ｂを接合する凸部材と凹部材の大きさを出来るだけ小さくすることができるとともに、伸縮部材の引張力により両部材の嵌合・接合状態を適度な力で保持できる。
【００２１】
請求項３記載の発明によれば、凸部材と凹部材に伸縮部材を引っ掛けることにより、両部材の嵌合・接合状態を絶えず保持できる。
【００２２】
請求項４記載の発明によれば、弾性体からなる伸縮部材が凸部材と凹部材に適度な引張力を付与するから、両部材の嵌合・接合状態が適度に保持される。そして、凸部材と凹部材を引っ張り合えば、伸縮部材が伸びるので、伸縮部材をカットしやすい。
【発明を実施するための最良の形態】
【００２３】
本発明の好ましい実施の形態を、図１〜図８に基いて詳細に説明する。ここに例示する手すり部材接続具の基本構成は、隣接する２本の手すり部材Ａ，Ｂの対向端部を嵌入固定し得る２つの部材１，２からなり、そのうちの一方の部材１が少なくとも凸部材1aを、他方の部材２が前記凸部材1aを嵌合保持する凹部材2aを有し、前記凹部材2aに前記凸部材1aが嵌合保持された状態で、一方の部材１に形成されている孔1bに伸縮部材３又は４が挿通され、この伸縮部材３又は４の両端を凸部材1a側と凹部材2a側にそれぞれ係合させ、２つの部材１，２をこの伸縮部材３又は４により連結したものである。
【００２４】
前記凸部材1aは図１(a)の右側に示すように部材１の右半分を半球面状とすることによって形成することができる。また、前記凹部材2aは図１(b)の右側に示すように部材２の先側を外突弧状に湾曲させ、その先端部を斜め方向に切除してその部分に正面から見ると楕円形となる開口部2bを有することにより形成することができ、この開口部2bの奥を凹部材2aとして利用する。
【００２５】
部材１における前記凸部材1aと反対側の端部には円筒状筒体1cが、また、部材２における前記凹部材2aと反対側の端部には円筒状筒体2cがそれぞれ設けられており、両円筒状筒体1c，2cに隣接する２本の手すり部材Ａ，Ｂの対向端部をそれぞれ嵌入する。そして、図１、図２に示す場合には、部材１については、図１(a)に示すように、その凸部材1a内の中心軸線上に円筒状筒体1c側に延びる筒体1dを形成し、ネジ装着用のこの筒体1dに固定ネジ５を挿通してその先側を手すり部材Ａにねじ込むことにより、手すり部材Ａを固定することができる（図２参照）。また、部材２については、図１(b)に示すように、その円筒状筒体2cの中心軸線上にネジ挿通用の孔2dを形成し、この孔2dにも固定ネジ５を挿通してその先側を手すり部材Ｂにねじ込むことにより、手すり部材Ｂを固定することができる（図２参照）。
【００２６】
一方、図３、図４に示す場合には、部材１については、図１(a)に示す場合とは異なってネジ装着用の筒体を形成しないで、前記円筒状筒体1cに孔1eを形成し（図３(a)参照）、図４の鎖線で示すようにこの孔1eから固定ネジ６を手すり部材Ａにねじ込むことにより、手すり部材Ａを固定することができる。また、部材２については、図１(b)に示す場合と同じようにその円筒状筒体2cの中心軸線上にネジ挿通用の孔2dを形成し（図３(b)参照）、この孔2dに図２に示す場合と同じように固定ネジ５を挿通してその先側を手すり部材Ｂにねじ込むことにより、手すり部材Ｂを固定することができる（図４参照）。
【００２７】
また、図５、図６に示す場合には、部材１については、図３(a)に示す場合と同じようにその円筒状筒体1cに孔1eを形成し（図５(a)参照）、図６の鎖線で示すようにこの孔1eから固定ネジ６を手すり部材Ａにねじ込むことにより、手すり部材Ａを固定することができる。また、部材２については、図１(b)、図３(b)に示す場合とは異なってネジ挿通用の孔を形成しないで、その円筒状筒体2cに孔2eを形成し（図５(b)参照）、図６の鎖線で示すようにこの孔2eから固定ネジ６を手すり部材Ｂにネジ込むことにより、手すり部材Ｂを固定することができる。かくして、本接続具を介して両手すり部材Ａ，Ｂを連続した状態に固定することができる。
【００２８】
図１、図２に示す場合には、図１(c)に示す伸縮部材３を用いて凹部材2aに凸部材1aが嵌合保持された状態で２つの部材１，２を連結している。この伸縮部材３の一端には、部材１の筒体1dに引っ掛け得る係止リング3aが、また、連結片3bを介してその反対側の端部には方形状の係止片3cが形成されている。
そして、図２に示すように、伸縮部材３の連結片3b部分を部材１の孔1bに挿通した状態で、係止リング3aを前記筒体1dの外周に引っ掛けるとともに、係止片3c側を部材２内の孔2fを経てその奥に位置させることにより、凹部材2aに凸部材1aが嵌合保持された状態で伸縮部材３により部材１と部材２とを連結することができる。
【００２９】
また、図３、図４及び図５、図６に示す場合には、図３(c)、図５(c)に示す伸縮部材４を用いて凹部材2aに凸部材1aが嵌合保持された状態で２つの部材１，２を連結している。この伸縮部材４の一端には、部材１の前記孔1bを経てその奥に係止させ得る側面円錐形状の係止片4aが、また、連結片4bを介してその反対側の端部には方形状の係止片4cが形成されている。
そして、図４及び図６に示すように、伸縮部材４の連結片4b部分を部材１の前記孔1bに挿通した状態で、係止片4aをこの孔1bを経てその奥に位置させ、また、係止片4c側を部材２内の孔2fを経てその奥に位置させることにより、凹部材2aに凸部材1aが嵌合保持された状態で伸縮部材４により部材１と部材２とを連結することができる。
【００３０】
このように、凹部材2aに凸部材1aが嵌合保持された状態の部材１と部材２とは伸縮部材３，４で連結されているから、図２、図４、図６の(a)にそれぞれ示す場合と図２、図４、図６の(b)、(c)にそれぞれ示す場合とを比べれば明らかなように、３６０度の範囲内で自由に回すことができるから、どの位置でもフレキシブルな動きが可能である。
【００３１】
また、伸縮部材３，４は図２、図４、図６に示すように、隣接する手すり部材Ａ，Ｂの対向端部を嵌入固定した凸部材1aと凹部材2a間の嵌合空間にいずれも位置し、両伸縮部材３，４が凸部材1aと凹部材2aを互いに接合させる方向に絶えず牽引している。従って、隣接する手すり部材Ａ，Ｂを接合する凸部材1aと凹部材2aの大きさを出来るだけ小さくすることができるとともに、伸縮部材３，４の引張力により両部材1a，2aの嵌合・接合状態を適度な力で保持できる。
【００３２】
伸縮部材３，４には、上述したように、凸部材1aと凹部材2aにそれぞれ係合させ得る部分3a、3cや4a、4cを備えているから、凸部材1aと凹部材2aの所定位置に伸縮部材３，４の3a、3c部分や4a、4c部分を引っ掛けることにより、両部材1a，2aの嵌合・接合状態を絶えず保持できる。
【００３３】
伸縮部材３，４をゴムその他の弾性体からなるものとすることができる。例えば、伸縮部材３，４をエポキシドゴム（ＥＰゴム）製とすることができる。このように、伸縮部材３，４を弾性体からなるものとすると、弾性体である伸縮部材３，４が凸部材1aと凹部材2aに適度な引張力を付与するから、両部材1a，2aの嵌合・接合状態が適度に保持される。そして、凸部材1aと凹部材2aを引っ張り合えば、伸縮部材３，４が伸びるので、伸縮部材３，４をカットしやすい。
【００３４】
なお、２つの部材１，２は種々の素材で作ることができるが、例えば、ＡＢＳ樹脂製とし、焼付塗装することもできる。このような素材からなるものとした場合には、強度を有しながら出来るだけ小さくできるので、設置後における手すり部材Ａ，Ｂの接合部分である２つの部材１，２が余り目立たなくなり、設置後の体裁も良い。
【００３５】
次に、このような部材１，２からなる本接続具を用いて隣接する手すり部材Ａ，Ｂを接続し、それを壁Ｄに取り付ける場合について説明する。
本接続具によれば、上述したように、凹部材2aに凸部材1aが嵌合保持された状態で伸縮部材３又は４により両者が連結されている。従って、図７(a)に示すように、コーナー部分Ｃに凹部材2aと凸部材1aからなる本接続具を位置させ、例えば、図８(a)、(b)に示す壁受用ブラケット７と、図８(c)、(e)に示す台座８とを用いて隣接する手すり部材Ａ，Ｂを壁Ｄに沿わせて取り付けることができる。この最初の施工時において、凹部材2aに凸部材1aが嵌合保持された状態で両者は伸縮部材３又は４により連結されているので、極めて施工しやすく、施工時間を短縮できる。また、凹部材2aと凸部材1aとは伸縮部材３又は４により連結されているので、どの位置でもフレキシブルな動きが可能である。
【００３６】
図８(a)、(b) に示す壁受用ブラケット７と図８(c)、(e)に示す台座８の構造と、それらの施工作業を簡単に説明する。
壁受用ブラケット７は、壁Ｄに取り付けて手すり部材Ａ，Ｂを下から支受する型式のものであり、図８に示すように、取付座7aから支持腕7bが延び出させてあり、支持腕7bの先端には手すり部材Ａ，Ｂを支受するための支持部材7cが備えられている。支持部材7cにビスで手すり部材Ａ，Ｂが固定される。
【００３７】
壁受用ブラケット７の取付座7aには、図８(a)に示すように、３つの孔が形成されており、その部分をビス挿通部7dとして利用し得るようになっている。各ビス挿通部7d以外の部位には、孔である取付ネジ挿通部7eが、また、両挿通部7d，7e以外の部位には、下方へ向けて突起7fが形成されている。図８(a)に示すように、この突起7fをそれぞれ左右対称的な方形状とし、斜め上方に行くに従って外側を向くように傾斜させてある。傾斜角度は４５度が最も好ましい。
【００３８】
一方、壁受用ブラケット７の取付座7aを取り付けるための台座８は、図８(c)に示すように円板状としてある。そして、この台座８には、この上に重ね合わせた取付座7aの各ビス挿通部7dを通して見える部位に、ビス挿通用の孔8aが、また、取付座7aに形成されている取付ネジ挿通部7eに対峙する部位に、ネジ孔8bが形成されている。取付座7aは台座８より大きくするとともに、取付座7aの下面に台座８を嵌入させ得る窪み7gを形成してある。このようにすることにより、取付座7aを台座８に重ね合わせたとき台座８が隠れる。
【００３９】
また、台座８には、取付座7aに形成されている突起7fに対峙する位置に、それに嵌入させ得る切欠孔8cが形成されている。図８(c)に示すように、この切欠孔8cをそれぞれ左右対称的な方形状とし、斜め上方に行くに従って外側を向くように傾斜させてある。傾斜角度は４５度が最も好ましい。
さらに、台座８には、断面半円状の突起8dが形成されている。図８(c)に示すように、断面半円状のこの突起8dは円板状の台座８の中心線上に１つ形成されている。
【００４０】
一方、取付座7aの下面には、台座８に形成されている突起8dに対峙する位置に、断面半円状の窪み7hが形成されている。台座８に取付座7aを重ね合わせたとき、台座８に形成されている断面半円状の突起8dが取付座7aの窪み7hに嵌合する。
【００４１】
例えば、このような壁受用ブラケット７と台座８とを用いて隣接する手すり部材Ａ，Ｂを壁Ｄに沿わせて取り付けるには、長い手すり部材Ａ，Ｂに対して所定の間隔を置いて配置すべき複数の壁受用ブラケット７，７に対応させて複数の台座８，８を壁Ｄに固定し、各支持部材7a，7aにビスで手すり部材Ａ，Ｂを固定するとともに、壁Ｄに固定された各台座８，８上に前記壁受用ブラケット７，７の取付座7a，7aを重ね合わせることにより、手すり部材Ａ，Ｂを壁Ｄに沿わせて取り付けることができる。
【００４２】
この場合において、壁Ｄに固定されている台座８の切欠孔8cに向けて、壁受用ブラケット７の取付座7aの突起7fを押し付ける。すると、壁受用ブラケット７の取付座7aに形成されている突起7fが台座８の切欠孔8cに嵌まり、取付座7aを台座８に係合させることができる。このとき、台座８に形成されている断面半円状の突起8dと取付座7aに形成されている断面半円状の窪み7hとが嵌合する。しかる後、取付座7aに形成されている取付ネジ挿通部7eから取付ネジ（図示しない）をそれぞれ差し込み、その先端のネジ部分を台座８のネジ孔8bに螺着すると、壁Ｄに取り付けられている台座８に、壁受用ブラケット７を重ね合わせて固定できる。
【００４３】
なお、図８(a)、(b) に示す壁受用ブラケット７と図８(c)、(e)に示す台座８には、図８(d)に示すように、カバー９が備えられている。カバー９にはＵ字状の切欠9aが形成されており、この切欠9aから壁受用ブラケット７の支持腕7bを差し込むことにより、取付座7aにカバー９を被せることができる。従って、取付後のビスや取付ネジが見えないように、壁受用ブラケット７の取付座7a部分をこのカバー９で覆い隠すことができる。
【００４４】
一方、連続する手すり部材Ａ，Ｂの取付後、壁紙を貼る作業に入る前、あるいは、家具搬入時の通路が狭い場合において、取り付けられている手すり部材Ａ，Ｂを外す際には、凹部材2aと凸部材1aを連結している伸縮部材３又は４をカットすれば、凹部材2aと凸部材1aとが分離されるので、手すり部材Ａ，Ｂ付きの壁受用ブラケット７，７を壁Ｄに取り付けられている各台座８，８から取り外せば、手すり部材Ａ，Ｂを簡単に取り外すことができる。この場合においては、壁Ｄに取り付けられている各台座８，８は外す必要はなく、各台座８，８を壁Ｄに対して位置決めされた状態で壁Ｄに取り付けたままにしておくことができる。
【００４５】
このように、各台座８，８は図７(b)に示すように壁Ｄに対してすでに位置決めされているから、逆に、取り外した手すり部材Ａ，Ｂを復元するには、壁Ｄに位置決めされた状態にある前記台座８，８に手すり部材Ａ，Ｂ付きの壁受用ブラケット７，７を重ね合わせ、台座８，８上に固定するだけで良い。この作業を行うだけで、コーナー部分Ｃにおける凹部材2aと凸部材1aを極めて簡単に嵌合・接合させ、しかも、最初の場合と同じように、壁Ｄに沿わせて隣接する手すり部材Ａ，Ｂを極めて簡単に復元することができる。
【図面の簡単な説明】
【００４６】
【図１】本発明による手すり部材接続具の一例を示す概略図で、(a)はそのうちの一方の部材の正面図と断面図、(b)は他方の部材の正面図と断面図、(c)は両部材を嵌合・接合させるための伸縮部材の一例を示す斜視図である。
【図２】図１に示す手すり部材接続具の２つの部材に、隣接する手すり部材の対向端部をそれぞれ嵌入固定し、両手すり部材を接続した状態を側面方向から見た断面図で、(a)，(b)，(c)に隣接する手すり部材の交差角度をいずれも異ならしめた状態で示す。
【図３】本発明による手すり部材接続具の別の例を示す概略図で、(a)はそのうちの一方の部材の正面図と断面図、(b)は他方の部材の正面図と断面図、(c)は両部材を嵌合・接合させるための伸縮部材の一例を示す斜視図である。
【図４】図３に示す手すり部材接続具の２つの部材に、隣接する手すり部材の対向端部をそれぞれ嵌入固定し、両手すり部材を接続した状態を側面方向から見た断面図で、(a)，(b)，(c)に隣接する手すり部材の交差角度をいずれも異ならしめた状態で示す。
【図５】本発明による手すり部材接続具のさらに別の例を示す概略図で、(a)はそのうちの一方の部材の正面図と断面図、(b)は他方の部材の正面図と断面図、(c)は両部材を嵌合・接合させるための伸縮部材の一例を示す斜視図である。
【図６】図５に示す手すり部材接続具の２つの部材に、隣接する手すり部材の対向端部をそれぞれ嵌入固定し、両手すり部材を接続した状態を側面方向から見た断面図で、(a)，(b)，(c)に隣接する手すり部材の交差角度をいずれも異ならしめた状態で示す。
【図７】コーナー部分に２つの部材からなる本接続具を位置させ、壁に沿わせて隣接する手すり部材を取り付ける様子を示す斜視図で、(a)は最初に手すり部材を取り付ける状況を、(b)は取り外した手すり部材を復元する状況を示す。
【図８】壁に取り付けて手すり部材を下から支受する型式の壁受用ブラケットとそれに用いる台座ならびにカバーの一例を示す図で、(a)は壁受用ブラケットの正面図、(b)はその一部の側面図で、一部を切り欠いて示し、(c)は台座の正面図、(e)はその側面図、(d)はカバーの正面図である。
【図９】連結部材（連結ピン）を用いて２つの部材を嵌合・接合させた従来の手すり部材接続具の一例を示す断面図である。
【符号の説明】
【００４７】
１…部材、1a…凸部材、1b…孔、1c…円筒状筒体、２…部材、2a…凹部材、2c…円筒状筒体、2f…孔、３，４…伸縮部材、3a，4a…係止リング、3b，4b…連結片、3c，4c…係止片、５，６…固定ネジ、７…壁受用ブラケット、８…台座、Ａ，Ｂ…手すり部材、Ｃ…コーナー部分、Ｄ…壁。
【図１】
2006249869.tif 000003
【図２】
2006249869.tif 000004
【図３】
2006249869.tif 000005
【図４】
2006249869.tif 000006
【図５】
2006249869.tif 000007
【図６】
2006249869.tif 000008
【図７】
2006249869.tif 000009
【図８】
2006249869.tif 000010
【図９】
2006249869.tif 000011